(57)【要約】【課題】防火性を損なうことなく断熱性の向上を図ること。【解決手段】矩形状を成す面材２１Ａの上下に延在した縁部２１Ａａに装着される縦框２２Ａ，２３Ａと、縦框２２Ａ，２３Ａの相互間に配置され、面材２１Ａの左右延在した縁部２１Ａｂに装着される横框２４Ａ，２５Ａとを備え、戸先となる縦框２２Ａ及び２つの横框２４Ａ，２５Ａがそれぞれ室外側に配置される金属框部分２２Ａａ，２４Ａａ，２５Ａａと、室内側に配置される樹脂框部分２２Ａｂ，２４Ａｂ，２５Ａｂとを有し、横框２４Ａ，２５Ａの金属框部分２４Ａａ，２５Ａａが縦框２２Ａの金属框部分２２Ａａよりも見込み方向に沿った寸法が大きく構成された障子２０Ａであって、横框２４Ａ，２５Ａにおける金属框部分２４Ａａ，２５Ａａの小口において縦框２２Ａにおける金属框部分２２Ａａの見付け面から突出する部分を覆う金属製の遮断部材６０を備えている。【選択図】図４
2018162614.tif 000002
【特許請求の範囲】
【請求項１】
矩形状を成す面材の互いに平行に延在した第１の縁部に装着される２つの第１方向框と、前記第１方向框の相互間に配置され、前記面材の第１の縁部に直交した第２の縁部に装着される２つの第２方向框とを備え、前記２つの第１方向框の少なくとも一方及び前記２つの第２方向框の少なくとも一方がそれぞれ室外側に配置される金属框部分と、室内側に配置される樹脂框部分とを有し、前記第２方向框の金属框部分が前記第１方向框の金属框部分よりも見込み方向に沿った寸法が大きく構成された障子であって、
前記第２方向框における金属框部分の小口において前記第１方向框における金属框部分の見付け面から突出する部分を覆う金属製の遮断部材を備えることを特徴とする障子。
【請求項２】
前記遮断部材は、平板状を成し、前記第１方向框の金属框部分において前記第２方向框の小口に対向する見込み面に配設されていることを特徴とする請求項１に記載の障子。
【請求項３】
前記遮断部材は、前記第１方向框における金属框部分の見込み面に沿って配置される取付板部と、前記取付板部の縁部から屈曲するように延在し、前記第２方向框における金属框部分の小口を覆うカバー板部とを有していることを特徴とする請求項１に記載の障子。
【請求項４】
前記第１方向框は、上下に沿って延在する縦框を構成するものであり、前記第２方向框において下方に配置されるものの金属框部分には、戸車が配設されていることを特徴とする請求項１に記載の障子。
【請求項５】
請求項１〜請求項４のいずれか一つに記載の障子を枠体に配設することによって構成したことを特徴とする建具。
【発明の詳細な説明】
【技術分野】
【０００１】
本発明は、障子及び建具に関するものである。
【背景技術】
【０００２】
建具には、障子の框を室外側の金属框部分と、室内側の樹脂框部分とによって構成したものが提供されている。この種の障子においては、室外の空気に触れる金属框部分が室内に露出せず、しかも金属框部分から樹脂框部分への熱伝達率も小さいため、例えば室外の気温が室内に比べて低い場合にも、框の室内に露出する部分に結露が発生する等の問題を招来するおそれがなくなる（例えば、特許文献１参照）。
【先行技術文献】
【特許文献】
【０００３】
【特許文献１】特開２０１６−１４５５０３号公報
【発明の概要】
【発明が解決しようとする課題】
【０００４】
上述した障子においては、樹脂框部分の割合を多くすれば、より断熱性の向上を図ることが可能となる。しかしながら、障子の框には、その内部に建具を構成するための部品が収容される場合がある。例えば、戸車を備える引き違い窓の障子においては、下方の横框における金属框部分が戸車を収容できるだけの幅（建具の奥行き方向に沿った寸法）を有している必要がある。
【０００５】
こうした要求に対しては、下方の横框のみ戸車が収容できる幅に構成し、縦框についてはこれよりも小さい幅に構成することで断熱性を考慮した障子を提供することが可能となる。すなわち、框全体としては、樹脂框部分の幅を変更することで、同じ幅に構成することができるため、必要に応じて金属框部分の幅を横框と縦框とで異なる幅に設定することが可能である。
【０００６】
ところで、上記のように構成した障子にあっては、縦框の金属框部分よりも横框の金属框部分の幅が大きいため、縦框の相互間に横框を設けた場合、縦框の金属框部分から横框における金属框部分の小口が突出することになる。上述したように、縦框から突出する横框の金属框部分は、樹脂框部分によって覆われるため、通常の使用時に問題になることはない。しかしながら、火災発生時等において樹脂框部分が溶融したり、焼失したりすると、横框における金属框部分の小口が外部に露出して火炎の貫通口となるおそれがあり、建具の防火性を考慮した場合、必ずしも好ましいとはいえない。なお、上述の問題は、縦框における金属框部分の幅に対して横框における金属框部分の幅が大きい場合にのみ生じるものではない。すなわち、横框の金属框部分よりも縦框の金属框部分の幅が大きく、横框の相互間に縦框を設けた障子にあっても同様に生じ得る。
【０００７】
本発明は、上記実情に鑑みて、防火性を損なうことなく断熱性の向上を図ることのできる障子及び建具を提供することを目的とする。
【課題を解決するための手段】
【０００８】
上記目的を達成するため、本発明に係る障子は、矩形状を成す面材の互いに平行に延在した第１の縁部に装着される２つの第１方向框と、前記第１方向框の相互間に配置され、前記面材の第１の縁部に直交した第２の縁部に装着される２つの第２方向框とを備え、前記２つの第１方向框の少なくとも一方及び前記２つの第２方向框の少なくとも一方がそれぞれ室外側に配置される金属框部分と、室内側に配置される樹脂框部分とを有し、前記第２方向框の金属框部分が前記第１方向框の金属框部分よりも見込み方向に沿った寸法が大きく構成された障子であって、前記第２方向框における金属框部分の小口において前記第１方向框における金属框部分の見付け面から突出する部分を覆う金属製の遮断部材を備えることを特徴とする。
【０００９】
この発明によれば、第２方向框における金属框部分の小口が遮断部材によって覆われるため、樹脂框部分が溶融したり、焼失したりしても小口が貫通口となることはなく、障子の防火性を損なうおそれがない。
【００１０】
また本発明は、上述した障子において、前記遮断部材は、平板状を成し、前記第１方向框の金属框部分において前記第２方向框の小口に対向する見込み面に配設されていることを特徴とする。
【００１１】
この発明によれば、第１方向框の金属框部分と第２方向框の金属框部分との間に遮断部材を配設することができるため、取付強度の点で有利となる。
【００１２】
また本発明は、上述した障子において、前記遮断部材は、前記第１方向框における金属框部分の見込み面に沿って配置される取付板部と、前記取付板部の縁部から屈曲するように延在し、前記第２方向框における金属框部分の小口を覆うカバー板部とを有していることを特徴とする。
【００１３】
この発明によれば、第１方向框の金属框部分と、第２方向框の金属框部分とを接続した後に遮断部材を取り付けることができるため、第２方向框における金属框部分の小口を確実に覆うことが可能となる。
【００１４】
また本発明は、上述した障子において、前記第１方向框は、上下に沿って延在する縦框を構成するものであり、前記第２方向框において下方に配置されるものの金属框部分には、戸車が配設されていることを特徴とする。
【００１５】
この発明によれば、枠体に対してスライド移動する障子に対して防火性及び断熱性の向上を図ることが可能となる。
【００１６】
また本発明に係る建具は、上述したいずれか一つに記載の障子を枠体に配設することによって構成したことを特徴とする。
【００１７】
この発明によれば、第２方向框における金属框部分の小口が遮断部材によって覆われるため、樹脂框部分が溶融したり、焼失したりしても小口が貫通口となることはなく、建具の防火性を損なうおそれがない。
【発明の効果】
【００１８】
本発明によれば、第２方向框における金属框部分の小口が遮断部材によって覆われるため、樹脂框部分が溶融したり、焼失したりしても小口が貫通口となることはなく、防火性を損なうおそれがない。
【図面の簡単な説明】
【００１９】
【図１】図１は、本発明の実施の形態である障子を適用した建具を室内側から見た図である。
【図２】図２は、図１に示した建具の縦断面図である。
【図３】図３は、図１に示した建具の横断面図である。
【図４】図４は、図１に示した建具に適用する障子の縦框を示すもので、（ａ）は内周側の見込み面から見た図、（ｂ）は横断面図である。
【図５】図５は、図１に示した建具に適用する障子の縦框と下方の横框との接合部分を示すもので、（ａ）は遮断部材を設ける以前において樹脂框部分を省略した状態を示す斜視図、（ｂ）は遮断部材を設けた後において樹脂框部分を省略した状態を示す斜視図である。
【図６】図６は、図１に示した建具の縦框を内周側見込み面から見たもので、樹脂框部分を省略した斜視図である。
【図７】図７は、本発明の変形例である障子の縦框を示すもので、（ａ）は内周側の見込み面から見た図、（ｂ）は横断面図である。
【図８】図８は、図７に示した変形例の障子において縦框と下方の横框との接合部分において樹脂框部分を省略した状態の斜視図である。
【図９】図９は、図７に示した変形例の障子において縦框を内周側見込み面から見たもので、樹脂框部分を省略した斜視図である。
【発明を実施するための形態】
【００２０】
以下、添付図面を参照しながら本発明に係る障子及び建具の好適な実施の形態について詳細に説明する。
【００２１】
（実施の形態）
図１〜図３は、本発明の実施の形態である障子を適用した建具を示したものである。ここで例示する建具は、枠体１０に対して２枚の障子２０Ａ，２０Ｂをスライド可能に配設した、いわゆる引き違い窓と称されるものである。枠体１０は、上下の横枠１１，１２及び左右の縦枠１３，１４を四周枠組みすることによって構成した矩形状を成すものである。枠体１０の縦枠１３，１４は、アルミニウム合金等の金属によって一体に成形した押し出し形材である。これに対して枠体１０の横枠１１，１２は、室外側の金属枠部分１１ａ，１２ａ及び室内側の金属枠部分１１ｂ，１２ｂを有し、これら金属枠部分１１ａ，１１ｂ、１２ａ，１２ｂの間に樹脂から成る断熱材１１ｃ，１２ｃを介在させることによって構成してある。横枠１１，１２を構成する金属枠部分１１ａ，１１ｂ、１２ａ，１２ｂは、縦枠１３，１４と同様、アルミニウム合金等の金属によって成形した押し出し形材である。これら上下の横枠１１，１２には、２枚の障子２０Ａ，２０Ｂを個別にガイドするためのレール１１ｄ，１１ｅ，１２ｄ，１２ｅが室外側の金属枠部分１１ａ，１２ａ及び室内側の金属枠部分１１ｂ，１２ｂのそれぞれに設けてある。
【００２２】
室内側に配置される一方の障子（以下、区別する場合に内障子２０Ａという）は、矩形状を成す面材２１Ａに対して上下に延在される縁部（第１の縁部）２１Ａａに左右の縦框（第１方向框）２２Ａ，２３Ａを装着し、左右に延在される縁部（第２の縁部）２１Ａｂに上下の横框（第２方向框）２４Ａ，２５Ａを装着することによって構成したものである。室外側に配置されるもう一方の障子（以下、区別する場合に外障子２０Ｂという）は、矩形状を成す面材２１Ｂに対して上下に延在される縁部（第１の縁部）２１Ｂａに左右の縦框（第１方向框）２２Ｂ，２３Ｂを装着し、左右に延在される縁部（第２の縁部）２１Ｂｂに上下の横框（第２方向框）２４Ｂ，２５Ｂを装着することによって構成したものである。本実施の形態では特に、左右の縦框２２Ａ，２３Ａ、２２Ｂ，２３Ｂの相互間に上方の横框２４Ａ，２４Ｂ及び下方の横框２５Ａ，２５Ｂを配設した、いわゆる縦通しと称される組み方で障子２０Ａ，２０Ｂが構成してある。障子２０Ａ，２０Ｂの面材２１Ａ，２１Ｂとしては、いずれも複層ガラスから成るものを適用している。
【００２３】
内障子２０Ａは、左右の縦框２２Ａ，２３Ａ及び上下の横框２４Ａ，２５Ａがそれぞれ室外側の金属框部分２２Ａａ，２３Ａａ，２４Ａａ，２５Ａａ及び室内側の樹脂框部分２２Ａｂ，２３Ａｂ，２４Ａｂ，２５Ａｂを備えて構成してある。一方、外障子２０Ｂは、戸先となる縦框２２Ｂ及び上下の横框２４Ｂ，２５Ｂがそれぞれ室外側の金属框部分２２Ｂａ，２４Ｂａ，２５Ｂａ及び室内側の樹脂框部分２２Ｂｂ，２４Ｂｂ，２５Ｂｂを備えて構成してあるものの、召合せとなる縦框２３Ｂは金属框部分２３Ｂａのみを有して構成してある。金属框部分２２Ａａ，２３Ａａ，２４Ａａ，２５Ａａ、２２Ｂａ，２４Ｂａ，２５Ｂａ、２３Ｂａは、アルミニウム合金等の金属によって成形した押し出し形材であり、室外側の外壁部２６と室内側の内壁部２７との間に中空部を有するように構成してある。上方の横框２４Ａ，２４Ｂについては、この中空部の上方が開口しており、上方の横枠１１に設けたレール１１ｄ，１１ｅを受け入れるガイド溝２４Ａｃ，２４Ｂｃを構成している。一方、下方の横框２５Ａ，２５Ｂ及び左右の縦框２２Ａ，２３Ａ、２２Ｂ，２３Ｂについては、中空部の外周側に外周壁部２８が設けられ、上述の中空部が閉じた空間として構成してある。障子２０Ａ，２０Ｂを構成する各框２２Ａ，２３Ａ，２４Ａ，２５Ａ、２２Ｂ，２４Ｂ，２５Ｂの樹脂框部分２２Ａｂ，２３Ａｂ，２４Ａｂ，２５Ａｂ、２２Ｂｂ，２４Ｂｂ，２５Ｂｂは、いずれも筒状部分２９を有して構成したものである。
【００２４】
上述したように、外障子２０Ｂの召合せとなる縦框２３Ｂは、金属框部分２３Ｂａのみを有して構成してあるため、その見込み方向に沿った寸法が面材２１Ｂよりも大きくなるように構成してある。内障子２０Ａの召合せとなる縦框２３Ａは、外障子２０Ｂの召合せとなる縦框２３Ｂに重ね合わされるものであるため、耐風圧強度を重視して、それぞれの障子２０Ａ，２０Ｂの戸先となる縦框２２Ａ，２２Ｂの金属框部分２２Ａａ，２２Ｂａよりも金属框部分２３Ａａの見込み方向に沿った寸法が大きく構成してある。このうち、内障子２０Ａの召合せとなる縦框２３Ａ及び２つの障子２０Ａ，２０Ｂの戸先となる縦框２２Ａ，２２Ｂについては、室内側に配置される樹脂框部分２２Ａｂ，２２Ｂｂの見込み方向に沿った寸法が適宜調整してあり、縦框２２Ａ，２３Ａ、２２Ｂ，２３Ｂ全体の見込み方向に沿った寸法としては互いにほぼ等しくなるように構成してある。
【００２５】
ここで、上述した見込み方向とは、図中の矢印Ａで示すように、建具の奥行きに沿った方向である。見込み方向に沿った面については見込み面と称する場合がある。見付け方向とは、上下の横枠１１，１２や上下の横框２４Ａ，２５Ａ、２４Ｂ，２５Ｂのように水平に沿った部材の場合、見込み方向に直交した上下に沿う方向であり、縦枠１３，１４や縦框２２Ａ，２３Ａ、２２Ｂ，２３Ｂのように上下に沿った部材の場合、見込み方向に直交した水平に沿う方向である。見付け方向に沿った面については見付け面と称する場合がある。
【００２６】
一方、上下の横框２４Ａ，２５Ａ、２４Ｂ，２５Ｂについては、金属框部分２４Ａａ，２５Ａａ、２４Ｂａ，２５Ｂａの見込み方向に沿った寸法が互いにほぼ等しく構成してある。この横框２４Ａ，２５Ａ、２４Ｂ，２５Ｂにおける金属框部分２４Ａａ，２５Ａａ、２４Ｂａ，２５Ｂａの見込み方向に沿った寸法は、内障子２０Ａの召合せとなる縦框２３Ａの金属框部分２３Ａａよりも小さく、かつ戸先となる縦框２２Ａ，２２Ｂの金属框部分２２Ａａ，２２Ｂａよりも大きく構成してある。すなわち、上方の横框２４Ａ，２４Ｂには、上方の横枠１１に設けたレール１１ｄ，１１ｅが収容されるため、また、下方の横框２５Ａ，２５Ｂには、後述する戸車３０が配設されるため、戸先となる縦框２２Ａ，２２Ｂの金属框部分２２Ａａ，２２Ｂａよりも大きな見込み方向に沿った寸法が確保してある。
【００２７】
図２に示すように、下方の横框２５Ａ，２５Ｂには、それぞれの金属框部分２５Ａａ，２５Ｂａの中空部において長手の両端となる部位に戸車３０が配設してある。戸車３０は、ケース３１の内部に車輪３２を回転可能に配設したもので、下方の横框２５Ａ，２５Ｂにおける金属框部分２５Ａａ，２５Ｂａの外周壁部２８に切欠２８ａ（図５ａ参照）を設けることにより、ケース３１を介して金属框部分２５Ａａ，２５Ｂａの中空部に収容してある。この戸車３０は、枠体１０の内部に障子２０Ａ，２０Ｂを建て込んだ場合に車輪３２が下方の横枠１２に設けたレール１２ｄ，１２ｅに載置された状態となり、車輪３２が適宜回転することにより、枠体１０に対して障子２０Ａ，２０Ｂをスライドさせることが可能となる。本実施の形態では、ケース３１及び車輪３２をそれぞれポリアセタール等の樹脂によって成形した戸車３０を適用し、ケース３１の一方の表面が内壁部２７に接した状態で下方の横框２５Ａ，２５Ｂに配設してある。ケース３１の見込み方向に沿った寸法は、下方の横框２５Ａ，２５Ｂにおける内壁部２７と外壁部２６との相互間隔よりもわずかに小さい。
【００２８】
また、図２〜図４に示すように、上下の横框２４Ａ，２５Ａ、２４Ｂ，２５Ｂ及び戸先となる縦框２２Ａ，２２Ｂには、面材２１Ａ，２１Ｂの端面に対向する内周側の見込み面にはそれぞれ補強部材４０を介して熱膨張性部材５０が配設してある。補強部材４０は、ステンレス等の金属によって成形した薄板状部材であり、横框２４Ａ，２５Ａ、２４Ｂ，２５Ｂ及び縦框２２Ａ，２２Ｂにおいて面材２１Ａ，２１Ｂの端面及び周縁部表面に対向するように設けてある。熱膨張性部材５０は、熱により膨張する不燃性または難燃性の部材であり、例えば、熱膨張性の黒鉛を含有した発泡材を適用することができる。本実施の形態では、それぞれの補強部材４０の内周側となる見込み面において室内側となる部位に熱膨張性部材５０が配設してある。
【００２９】
さらに、上下の横框２４Ａ，２５Ａ、２４Ｂ，２５Ｂには、それぞれの中空部に熱膨張性部材５０が配設してある。上方の横框２４Ａ，２４Ｂには、内壁部２７の長手に沿った全長に熱膨張性部材５０が配設してあり、下方の横框２５Ａ，２５Ｂには、外壁部２６の長手に沿った全長に熱膨張性部材５０が配設してある。下方の横框２５Ａ，２５Ｂには、中空部の外部において内壁部２７の長手に沿った全長にも熱膨張性部材５０が配設してある。
【００３０】
ここで、上下の横框２４Ａ，２５Ａ、２４Ｂ，２５Ｂの金属框部分２４Ａａ，２５Ａａ、２４Ｂａ，２５Ｂａは、見込み方向に沿った寸法が戸先となる縦框２２Ａ，２２Ｂの金属框部分２２Ａａ，２２Ｂａに対して大きく構成してあるため、互いに接合した場合、図４及び図５の（ａ）に示すように、横框２４Ａ，２５Ａ、２４Ｂ，２５Ｂにおける金属框部分２４Ａａ，２５Ａａ、２４Ｂａ，２５Ｂａの小口が縦框２２Ａ，２２Ｂにおける金属框部分２２Ａａ，２２Ｂａの見付け面から突出することになる。この縦框２２Ａ，２２Ｂの見付け面から突出する横框２４Ａ，２５Ａ、２４Ｂ，２５Ｂの金属框部分２４Ａａ，２５Ａａ、２４Ｂａ，２５Ｂａは、樹脂框部分２４Ａｂ，２５Ａｂ、２４Ｂｂ，２５Ｂｂによって覆われるため、通常使用時において外部に露出することはない。しかしながら、この実施の形態では、図４、図５の（ｂ）、図６に示すように、縦框２２Ａ，２２Ｂの内周側となる見込み面において上方の横框２４Ａ，２４Ｂ及び下方の横框２５Ａ，２５Ｂに対向する部位にそれぞれ遮断部材６０を配設するようにしている。遮断部材６０は、ステンレスによって成形した薄板の平板状を成すもので、金属框部分２２Ａａ，２２Ｂａから樹脂框部分２２Ａｂ，２２Ｂｂにわたる部位にネジによって取り付けてある。遮断部材６０において横框２４Ａ，２５Ａ、２４Ｂ，２５Ｂの内周側見込み面よりも内周側となる部位には、熱膨張性部材５０が配設してある。なお、遮断部材６０の材質としては、金属框部分２２Ａａ等を構成するアルミニウム合金と同等、もしくはアルミニウム合金よりも融点の高い金属であれば、ステンレスに限らない。また、図２中の符号５１は、上方の横枠１１において断熱材１１ｃを覆うように設けた熱膨張性部材である。
【００３１】
上記のように構成した障子２０Ａ，２０Ｂによれば、室外の空気に触れる金属框部分２２Ａａ，２４Ａａ，２５Ａａ、２２Ｂａ，２３Ｂａ，２４Ｂａ，２５Ｂａが室内に露出せず、しかも金属框部分２２Ａａ，２４Ａａ，２５Ａａ、２２Ｂａ，２４Ｂａ，２５Ｂａから樹脂框部分２２Ａｂ，２４Ａｂ，２５Ａｂ、２２Ｂｂ，２４Ｂｂ，２５Ｂｂへの熱伝達率も小さいため、例えば室外の気温が室内に比べて低い場合にも、障子２０Ａ，２０Ｂの室内に露出する部分に結露が発生する等の問題を招来するおそれがなくなる。しかも、戸先に位置する縦框２２Ａ，２２Ｂの樹脂框部分２２Ａｂ，２２Ｂｂは、上下の横框２４Ａ，２５Ａ、２４Ｂ，２５Ｂの樹脂框部分２４Ａｂ，２５Ａｂ、２４Ｂｂ，２５Ｂｂや召合せとなる縦框２３Ａの樹脂框部分２３Ａｂに比べて見込み方向に沿った割合が大きく構成してあるため、また樹脂框部分２２Ａｂ，２３Ａｂ，２４Ａｂ，２５Ａｂ、２２Ｂｂ，２４Ｂｂ，２５Ｂｂのそれぞれが筒状部分２９を有するように構成してあるため、その内部が断熱空間となり、断熱性の向上を図ることが可能である。
【００３２】
さらに、上方の横枠１１に設けたレール１１ｄ，１１ｅが収容される上方の横框２４Ａ，２４Ｂ及び戸車３０が配設される下方の横框２５Ａ，２５Ｂは、それぞれの金属框部分２４Ａａ，２４Ｂａ、２５Ａａ，２５Ｂａが戸先となる縦框２２Ａ，２２Ｂの金属框部分２２Ａａ，２２Ｂａよりも大きな見込み方向に沿った寸法に構成してあるため、十分な耐久性や強度を有した戸車３０を配設することができる等、引き違い窓としての機能は何ら損なわれるおそれはない。
【００３３】
加えて、戸先となる縦框２２Ａ，２２Ｂにおける金属框部分２２Ａａ，２２Ｂａの見付け面から突出する横框２４Ａ，２５Ａ、２４Ｂ，２５Ｂの金属框部分２４Ａａ，２５Ａａ、２４Ｂａ，２５Ｂａに対しては、その小口を覆うように遮断部材６０を配設しているため、火災発生時等において樹脂框部分２２Ａｂ，２２Ｂｂ、２４Ａｂ，２５Ａｂ、２４Ｂｂ，２５Ｂｂが溶融したり、焼失したりした場合であっても、遮断部材６０によって覆われた状態を維持する。これにより、例えば、高温状態になった戸車３０から可燃ガスが発生したとしても、これが室内側に漏出することはなく、また、金属框部分２５Ａａ，２５Ｂａの室外側となる外壁部２６が溶融したとしても、小口が火炎の貫通口となることもなく、防火性の点で極めて有利となる。
【００３４】
なお、上述した実施の形態では、遮断部材６０として平板状を成すものを適用しているため、遮断部材６０が縦框２２Ａ，２２Ｂと横框２４Ａ，２５Ａ、２４Ｂ，２５Ｂとの間に介在されることになり、取付強度の点で有利となる。しかしながら、本発明では遮断部材６０として必ずしも平板状を成すものを適用する必要はなく、例えば、以下に説明する変形例のように、断面がＬ字状を成す遮断部材を適用することも可能である。
【００３５】
（変形例）
図７、図８、図９は、本発明の変形例である障子２０Ａ，２０Ｂを示したものである。ここで例示する障子２０Ａ，２０Ｂは、実施の形態と同様、引き違い窓として適用されるもので、実施の形態とは遮断部材の形状のみが異なっている。以下、遮断部材の構成について詳述し、実施の形態と同一の構成については同一の符号を付して詳細説明を省略する。
【００３６】
図からも明らかなように、変形例の遮断部材１６０は、金属框部分２２Ａａ等を構成するアルミニウム合金と同等、もしくはアルミニウム合金よりも融点の高い金属、例えばステンレスによって成形した薄板状を成すもので、取付板部１６１及びカバー板部１６２を有している。取付板部１６１は、戸先となる縦框２２Ａ，２２Ｂにおける金属框部分２２Ａａ，２２Ｂａの室内に臨む見付け面に取り付けられる平板状部分である。カバー板部１６２は、取付板部１６１の縁部から室内側に向けてほぼ直角に屈曲して延在した平板状部分であり、縦框２２Ａ，２２Ｂにおける金属框部分２２Ａａ，２２Ｂａの室内に臨む見付け面から突出する横框２４Ａ，２５Ａ、２４Ｂ，２５Ｂの金属框部分２４Ａａ，２５Ａａ、２４Ｂａ，２５Ｂａに対してその小口を覆うことのできる寸法に構成してある。この遮断部材１６０は、取付板部１６１を介して縦框２２Ａ，２２Ｂにおける金属框部分２２Ａａ，２２Ｂａの室内に臨む見付け面にネジによって取り付けてある。
【００３７】
この変形例の障子２０Ａ，２０Ｂにおいても、縦框２２Ａ，２２Ｂにおける金属框部分２２Ａａ，２２Ｂａの見付け面から突出する横框２４Ａ，２５Ａ、２４Ｂ，２５Ｂの金属框部分２４Ａａ，２５Ａａ、２４Ｂａ，２５Ｂａに対しては、その小口を覆うように遮断部材１６０を配設するようにしているため、火災発生時等において樹脂框部分２２Ａｂ，２２Ｂｂ、２４Ａｂ，２５Ａｂ、２４Ｂｂ，２５Ｂｂが溶融したり、焼失したりした場合であっても、遮断部材１６０によって覆われた状態を維持する。これにより、例えば、高温状態になった戸車３０から可燃ガスが発生したとしても、これが室内側に漏出することはなく、また、金属框部分２５Ａａ，２５Ｂａの室外側となる外壁部２６が溶融したとしても、小口が火炎の貫通口となることもなく、防火性の点で極めて有利となる。
【００３８】
さらに、変形例によれば、縦框２２Ａ，２２Ｂと横框２４Ａ，２５Ａ、２４Ｂ，２５Ｂとを接続した後においても遮断部材１６０を取り付けることが可能である。従って、横框２４Ａ，２５Ａ、２４Ｂ，２５Ｂにおける金属框部分２４Ａａ，２５Ａａ、２４Ｂａ，２５Ｂａの小口を遮断部材１６０のカバー板部１６２によってより確実に覆うことができる。
【００３９】
なお、上述した実施の形態及び変形例では、引き違い窓に適用される障子２０Ａ，２０Ｂを例示しているが、本発明は必ずしもこれに限らず、框が室外側の金属框部分と室内側の樹脂框部分とを有するものであればその他ものにも適用することが可能である。この場合、枠体１０を構成する横枠１１，１２及び縦枠１３，１４の構成は、実施の形態のものに限らない。例えば、横枠としては、縦枠と同様、アルミニウム合金等の金属によって一体に成形されたものや、框と同様、金属枠部分と樹脂枠部分とによって構成される複合タイプのものであっても良い。なお、横枠と縦枠とが異なる構成である必要もなく、同じ構成のものでも構わない。
【００４０】
また、戸先となる縦框２２Ａ，２２Ｂにおける金属框部分２２Ａａ，２２Ｂａに対して横框２４Ａ，２５Ａ、２４Ｂ，２５Ｂにおける金属框部分２４Ａａ，２５Ａａ、２４Ｂａ，２５Ｂａの見込み方向に沿った寸法が大きい障子２０Ａ，２０Ｂを例示しているが、本発明はこれに限定されず、横框の金属框部分に対して縦框における金属框部分の見込み方向に沿った寸法が大きい障子にも適用することが可能である。この場合、上下の横框の相互間に左右の縦框を配設した、いわゆる横通しと称される組み方で障子が構成されることになる。さらに、障子２０Ａ，２０Ｂの面材２１Ａ，２１Ｂとしては、必ずしも複層ガラスから成るものである必要はない。
【００４１】
また、上述した実施の形態及び変形例では、戸先となる縦框２２Ａ，２２Ｂと上下の横框２４Ａ，２５Ａ、２４Ｂ，２５Ｂとの間に遮断部材６０，１６０を設けるようにしているが、召合せとなる縦框２３Ａ，２３Ｂの金属框部分２３Ａａ，２３Ｂａが上下の横框２４Ａ，２５Ａ、２４Ｂ，２５Ｂにおける金属框部分２４Ａａ，２５Ａａ、２４Ｂａ，２５Ｂａの見込み方向に沿った寸法よりも小さい場合には、これら召合せとなる縦框２３Ａ，２３Ｂと上下の横框２４Ａ，２５Ａ、２４Ｂ，２５Ｂとの間に遮断部材を設けてももちろん良い。
【符号の説明】
【００４２】
１０  枠体、２０Ａ，２０Ｂ  障子、２１Ａ，２１Ｂ  面材、２１Ａａ，２１Ｂａ  面材の縁部、２１Ａｂ，２１Ｂｂ  面材の縁部、２２Ａ，２３Ａ、２２Ｂ，２３Ｂ  縦框、２２Ａａ，２３Ａａ，２４Ａａ，２５Ａａ、２２Ｂａ，２４Ｂａ，２５Ｂａ、２３Ｂａ  金属框部分、２２Ａｂ，２３Ａｂ，２４Ａｂ，２５Ａｂ、２２Ｂｂ，２４Ｂｂ，２５Ｂｂ  樹脂框部分、２４Ａ，２５Ａ、２４Ｂ，２５Ｂ  横框、３０  戸車、６０，１６０  遮断部材、１６１  取付板部、１６２  カバー板部
【図１】
2018162614.tif 000003
【図２】
2018162614.tif 000004
【図３】
2018162614.tif 000005
【図４】
2018162614.tif 000006
【図５】
2018162614.tif 000007
【図６】
2018162614.tif 000008
【図７】
2018162614.tif 000009
【図８】
2018162614.tif 000010
【図９】
2018162614.tif 000011